(57)【要約】【課題】同期信号の検出が可能な集積回路を提供すること。【解決手段】一実施形態による一方法には、電力を少なくとも１つの光源に供給する段階が含まれる。この実施形態の方法には、複数の異なる同期信号の中から、少なくとも１つの垂直同期信号の周波数を検出する段階と、前記少なくとも１つの光源への電力を、少なくとも部分的に、少なくとも１つの垂直同期信号の検出済み周波数に基づいて制御する段階も含まれる。【選択図】図１
2006216527.tif 000002
【特許請求の範囲】
【請求項１】
電力を少なくとも１つの光源に供給することのできる集積回路を備えた装置において、
前記集積回路は、少なくとも１つの垂直同期信号の周波数を、複数の異なる同期信号の中から検出することもでき、前記集積回路は、前記少なくとも１つの光源への電力を、少なくとも部分的に、前記少なくとも１つの垂直同期信号の検出済み周波数に基づいて制御することもできることを特徴とする装置。
【請求項２】
前記光源は、少なくとも１つの冷陰極蛍光灯（ＣＣＦＬ）を備えることを特徴とする請求項１記載の装置。
【請求項３】
前記光源は、少なくとも１つの発光ダイオード（ＬＥＤ）を備えることを特徴とする請求項１記載の装置。
【請求項４】
前記集積回路は、全ブリッジと半ブリッジとプッシュプルとＤ級インバータのトポロジーからなる組から選択されたトポロジーを備える直流／交流インバータ制御器回路を備え、前記光源は、少なくとも１つの冷陰極蛍光灯（ＣＣＦＬ）を備え、前記直流／交流変換器制御回路は、電力を少なくとも１つの冷陰極蛍光灯（ＣＣＦＬ）に供給することができることを特徴とする請求項１記載の装置。
【請求項５】
前記集積回路は、バック型、ブースト型、バックブースト型、チュック型、セピック型、ゼータ型の変換器トポロジーからなる組から選択されたトポロジーを備えた直流／直流変換器制御回路を備え、前記光源は、少なくとも１つの発光ダイオード（ＬＥＤ）を備え、前記直流／直流変換器制御回路は、電力を少なくとも１つの発光ダイオード（ＬＥＤ）に供給することができることを特徴とする請求項１記載の装置。
【請求項６】
前記集積回路は、パルス幅変調（ＰＷＭ）信号を生成して前記光源への電力を調整することのできるＰＷＭ回路を備え、前記ＰＷＭ信号は、前記少なくとも１つの垂直同期信号の検出済み周波数に基づいた周波数を持っていることを特徴とする請求項１記載の装置。
【請求項７】
前記少なくとも１つの垂直同期信号は、ＮＴＳＣ垂直同期信号とＰＡＬ垂直同期信号とＳＥＣＡＭ垂直同期信号からなる組から選択されることを特徴とする請求項１記載の装置。
【請求項８】
少なくとも１つの光源を備えるテレビ表示装置と、
前記少なくとも１つの光源へ電力を供給することのできる集積回路と
を備え、
前記集積回路は、少なくとも１つの垂直同期信号の周波数を、複数の異なる同期信号の中から検出することもでき、前記集積回路は、前記少なくとも１つの光源への電力を、少なくとも部分的に、前記少なくとも１つの垂直同期信号の検出済み周波数に基づいて制御することもできることを特徴とするシステム。
【請求項９】
前記光源は、少なくとも１つの冷陰極蛍光灯（ＣＣＦＬ）を備えることを特徴とする請求項８記載のシステム。
【請求項１０】
前記光源は、少なくとも１つの発光ダイオード（ＬＥＤ）を備えることを特徴とする請求項８記載のシステム。
【請求項１１】
前記集積回路は、全ブリッジと半ブリッジとプッシュプルとＤ級インバータのトポロジーからなる組から選択されたトポロジーを備える直流／交流インバータ制御器回路を備え、前記光源は、少なくとも１つの冷陰極蛍光灯（ＣＣＦＬ）を備え、前記直流／交流変換器制御回路は、電力を少なくとも１つの冷陰極蛍光灯（ＣＣＦＬ）に供給することができることを特徴とする請求項８記載のシステム。
【請求項１２】
前記集積回路は、バック型、ブースト型、バックブースト型、チュック型、セピック型、ゼータ型の変換器トポロジーからなる組から選択されたトポロジーを備えた直流／直流変換器制御回路を備え、前記光源は、少なくとも１つの発光ダイオード（ＬＥＤ）を備え、前記直流／直流変換器制御回路は、電力を少なくとも１つの発光ダイオード（ＬＥＤ）に供給することができることを特徴とする請求項８記載のシステム。
【請求項１３】
前記集積回路は、パルス幅変調（ＰＷＭ）信号を生成して前記光源への電力を調整することのできるＰＷＭ回路を備え、前記ＰＷＭ信号は、前記少なくとも１つの垂直同期信号の検出済み周波数に基づいた周波数を持っていることを特徴とする請求項８記載のシステム。
【請求項１４】
前記少なくとも１つの垂直同期信号は、ＮＴＳＣ垂直同期信号とＰＡＬ垂直同期信号とＳＥＣＡＭ垂直同期信号からなる組から選択されることを特徴とする請求項８記載のシステム。
【請求項１５】
電力を少なくとも１つの光源に供給する段階と、
少なくとも１つの垂直同期信号の周波数を、複数の異なる同期信号の中から検出する段階と、
前記少なくとも１つの光源への電力を、少なくとも部分的に、前記少なくとも１つの垂直同期信号の検出済み周波数に基づいて制御する段階と
を備えることを特徴とする方法。
【請求項１６】
前記光源は、少なくとも冷陰極蛍光灯（ＣＣＦＬ）を備えることを特徴とする請求項１５記載の方法。
【請求項１７】
前記光源は、少なくとも１つの発光ダイオード（ＬＥＤ）を備えることを特徴とする請求項１５記載の方法。
【請求項１８】
さらに、ＰＷＭ信号を生成して、前記光源への電力を調整する段階を備え、前記ＰＷＭ信号は、前記少なくとも１つの垂直同期信号の検出済み周波数に基づいた周波数を持つことを特徴とする請求項１５記載の方法。
【請求項１９】
前記少なくとも１つの垂直同期信号は、ＮＴＳＣ垂直同期信号とＰＡＬ垂直同期信号とＳＥＣＡＭ垂直同期信号からなる組から選択されることを特徴とする請求項１５記載の方法。
【発明の詳細な説明】
【技術分野】
【０００１】
本発明は、同期信号の検出が可能な集積回路に関する。
【背景技術】
【０００２】
マルチシステムのテレビは、主要な主要な放送とビデオの標準に適合する。ビデオ標準には、位相切り換えライン（ＰＡＬ）、全国テレビジョン方式委員会（ＮＴＳＣ）、順次式カラーメモリ（ＳＥＣＡＭ）が含まれる。世界中の殆どの国は、この３つの標準の内の１つを使用するが、各標準は、互いに互換性がない。
【０００３】
ＰＡＬとＳＥＣＡＭの垂直周波数は標準で定められるとおり５０Ｈｚであり、一方ＮＴＳＣ標準では６０Ｈｚである。ＴＶシステムでは、垂直周波数は、通常、他の電子回路を同期するのに使用されて、表示装置へのあらゆる障害を避ける。これは、しばしば拍動周波数（beating frequency）効果と呼ぶ。加えて、ＰＡＬとＳＥＣＡＭの水平周波数は１５.６２５ＫＨｚ（１５.７５ＫＨｚのＰＡＬ−Ｍは除く）であり、一方ＮＴＳＣでは１５.７３４ＫＨｚである。
【０００４】
発光ダイオードや蛍光灯のような、電力を光源に与える照明装置は、直流／直流あるいは直流／交流変換器から引き出される。これらの変換器は、減光制御の手段を与えられて、光源に配られる電力量を調整する。電力を調整する手段の１つは、パルス幅変調（ＰＷＭ）手法を用いるもの（“バーストモード減光”とも呼ばれる）で、ここで光源に与えられる電力はＰＷＭ制御信号を通して変調される。ＰＷＭ周波数は、通常、数十Ｈｚから数千Ｈｚの間である。
【０００５】
表示雑音を減らすために、垂直周波数信号を点灯装置に同期させる必要がある。点灯装置内の電子回路は、光源への電力を調整するためのＰＷＭ信号が、あらゆるＴＶシステムで使用される標準の全てに自動的に調整されるように、ＴＶ内の垂直周波数を検出して識別しなくてはならない。
【発明の開示】
【発明が解決しようとする課題】
【０００６】
通常、直流／直流あるいは直流／交流電力変換器の動作周波数は、数十ＫＨｚから数百ＫＨｚの範囲内である。典型的には、動作周波数を、点灯装置内にある集積回路内の水平周波数に同期させるのは難しくない。しかし、垂直周波数は比較的低いので、ＰＷＭ減光周波数をＴＶシステム内の垂直周波数に同期させるのは大変である。
【発明を実施するための最良の形態】
【０００７】
特許請求する主題の実施形態の特徴と利点とは、以下の詳細な説明を進め図面を参照するにつれて明らかになるであろう。図面では、類似の数詞は類似の部品を表している。
【０００８】
以下の詳細な説明は、説明のための実施形態やとして作られた参考例と共に進めるが、その多くの別の例や変更や変種は、当業者にとって明らかなものであろう。従って、特許請求する主題は、広い範囲で見て、添付の特許請求の範囲内で述べたようにのみ定義されることを意図している。
【０００９】
図１は、特許請求した主題のシステム実施形態１００を示している。システム１００は、一般に、少なくとも１つの蛍光灯１０４（これは、例えば、例陰極蛍光灯（ＣＣＦＬ）を備える）あるいは少なくとも１つの発光ダイオード（ＬＥＤ）１０６を備えたテレビ表示装置１０２を含んでいる。システム１００には、制御可能な電力を少なくとも１つの光源（例えば、少なくとも１つの灯１０２或いは、少なくとも１つのＬＥＤ１０６）に供給することのできる点灯回路１０８も備えるだろう。光源が少なくとも１つのＬＥＤ１０６である一実施形態において、点灯回路１０８は、例えば、電力を光源に供給することのできる直流／直流変換回路１１４（例えば、バック（buck）型および／またはブースト（boost）型および／またはバックブースト（buck-boost）型および／またはチュック（Cuk）型および／またはセピック（SEPIC）型および／またはゼータ（zeta）型の変換回路）を備えるだろう。光源が少なくとも１つの灯１０４である一実施形態において、点灯回路１０８は、直流／交流変換回路１１４（例えば、全ブリッジ型および／または半ブリッジ型および／またはプッシュプル型および／またはＤ級型のインバータ回路）を備えるだろう。回路１１４には、対応する伝動回路（図示せず）および制御可能に電力を生成することのできる制御回路（これも図示せず）が含まれるだろう。本明細書のいずれかの実施形態において使用されるように、“回路”は、例えば、単一であるいは何らかの組み合わせ、及び／または配線接続された回路、及び／またはプログラム可能な回路、及び／または状態機械回路、及び／またはプログラム可能な回路が実行する命令を記憶したファームウェアを備えるだろう。点灯回路１０８及び／またはパネル１０２に備えられた他の回路は、個々に、あるいは集まって、１つ或いは２つ以上の集積回路を構成する。本明細書のいずれかの実施形態で使用されるように、“集積回路”とは、半導体素子及び／またはマイクロ電子素子を意味し、例えば、半導体集積回路のようなものである。
【００１０】
パネル１０２は、１つ或いは２つ以上の以下の種類のメモリを備えたメモリも備える（図示せず）：半導体ファームウェアメモリ、及び／またはプログラム可能なメモリ、及び／または不揮発性メモリ、及び／または読み出し専用メモリ、及び／または電気的プログラム可能なメモリ、及び／またはランダムアクセスメモリ、及び／またはフラッシュメモリ、及び／または磁気ディスクメモリ、及び／または光ディスクメモリ。追加としてもしくは択一的に、メモリは、他の種類の、及び／または最近開発された種類のコンピュータ読み取り可能なメモリを備えているだろう。機械読み取り可能ファームウェアプログラム命令を、メモリ内に記憶することができる。前述したように、これらの命令は、点灯回路１０８によってアクセスされ実行されるだろうし、これらの命令は、結果として、点灯回路１０８及び／またはパネル１０２に備わった他の回路が実行するものであると本明細書に記載された動作を実行することになる。
【００１１】
本実施形態において、点灯回路１０８は、同期信号検出回路１１０とＰＷＭ減光回路１１２とを備える。同期検出回路１１０は、垂直同期信号（Synch Fv）を受信して、Synch Fv信号がＰＡＬ、及び／またはＮＴＳＣ，及び／またはＳＥＣＡＭ垂直同期信号に従った周波数を持っているかどうかを決定することができるだろう。同期検出回路１１０は、水平同期信号（Synch Fh）を受信して、Synch Fh信号が、ＰＡＬ、及び／またはＮＴＳＣ，及び／またはＳＥＣＡＭ垂直同期信号に従った周波数を持っているかどうかを決定することができるだろう。回路１１０は、Synch Fv信号がＰＡＬ、及び／またはＮＴＳＣ，及び／またはＳＥＣＡＭ垂直同期信号であるかどうかを示す信号３１２を生成するだろう。
【００１２】
当業界では良く知られたことだが、ＰＷＭ回路１１２は、少なくとも部分的にはＰＷＭ信号のデューティサイクルに基づいた、点灯回路１０８の出力電力を制御可能に減らしたり増やしたりする（そして灯１０４或いはＬＥＤ１０６が作った光の量を制御可能に減らしたり増やしたりする）ためのパルス幅変調（ＰＷＭ）された信号を生成することができる。本実施形態では、ＰＷＭ回路１１２によって生成されるＰＷＭ信号の周波数は、同期検出回路１１０で決定される垂直同期信号（Synch Fv）の周波数に基づいているだろう。“基づいている”というのは、ＰＷＭ信号が垂直同期信号と同期している、或いは関連しているという意味である。“同期”とは、例えば、ＰＷＭ信号が垂直同期信号同期信号の整数倍である、しかし、“同期”は、この意味に限定されるのではなく、その代わりにＰＷＭ信号が垂直同期信号の何らかの倍数であるという意味かも知れない。
【００１３】
図２は、一実施形態による信号の例のグラフ２００を示している。点灯回路１０８は、１６.６７ｍｓ（６０ＨｚのSynch Fvに対応する）の周期を持ったＮＴＳＣ垂直同期信号、及び５０ＨｚのSynch Fvに対応する２０ｍｓの周期を持ったＰＡＬ垂直同期信号を受信することができるだろう。ＮＴＳＣ垂直同期信号２０４は、論理ハイの部分２０４ｂと論理ローの部分２０４ａを備え、同様に、ＰＡＬ垂直同期信号２０６は、論理ハイの部分２０６ｂと論理ローの部分２０６ａを備えている。点灯回路１０８は、ＮＴＳＣ垂直同期信号２０４とＰＡＬ垂直同期信号２０６の間にある周期を持った内部基準信号２０２を生成することができるだろう。この例の実施形態において、内部基準信号２０２は、ＮＴＳＣとＰＡＬ同期信号（２０４と２０６）の中間の周期、すなわち５５Ｈｚの周波数に対応する１８.１８ｍｓを持ったランプ信号を備えているだろう。もちろん、これは１つの例に過ぎず、本発明は、内部基準信号２０２に対するこの特定の周波数に限定されるものではない。
【００１４】
内部基準信号２０２の傾きは、ＮＴＳＣ垂直同期信号２０４とＰＡＬ垂直同期信号２０６の周期の間の点で、直流基準信号Ｖｐｅａｋ２０８と交差するために一定であろう。従って、Ｖｐｅａｋ２０８は、内部基準信号２０２の希望する周波数に基づいて選択することができる。
【００１５】
図３は、一実施形態による同期信号検出回路１１０の例を示している。この実施形態において、同期信号検出回路１１０には、コンデンサＣ（３０４）を充電する電流源Ｉ（３０２）が含まれるだろう。回路１１０には、コンデンサ３０４の前後の電圧（これは内部基準信号２０２に相当するだろう）を直流基準信号Ｖｐｅａｋ２０８と比較する比較器３０６も含まれるだろう。図示されているように、比較器３０６の出力と垂直同期信号２０４或いは２０６を受信するフリップフロップ回路３１０が含まれよう。スイッチ３０８は、内部基準信号（Ｖｃ）２０２と接地電位の間で結合され、スイッチ３０８の導通状態は、垂直同期信号２０４或いは２０６によって制御することができる。本実施形態による、例としての同期信号検出回路１１０の動作を、より詳しく説明する。
【００１６】
電流源３０２は、コンデンサ３０４を充電して、内部基準信号２０２を生成するだろう。この場合、内部基準信号２０２は、図２で示したランプ信号を備えているだろう。内部基準信号２０２は、比較器３０６を介して、直流基準信号Ｖｐｅａｋ２０８と比較されよう。比較器の出力は、内部基準信号２０２がＶｐｅａｋ２０８と等しいか、それより大きくなるまで、変化しないままであろう。スイッチ３０８は、コンデンサ３０４の両側で、すなわち内部基準信号２０２と接地電位の間で結合されるだろう。スイッチ３０８がオン（導通）すると、スイッチ３０８はコンデンサ３０４上の電荷を放電するように動作するだろう。
【００１７】
動作時には、もし同期信号２０４或いは２０６がＮＴＳＣ同期信号２０４ならば、信号２０４がローからハイに状態を変えた時に、スイッチ３０８は導通して、コンデンサ３０４はスイッチ３０８を通して放電されるだろう。この場合、内部基準信号２０２は、Ｖｐｅａｋ２０８に届かず、フリップフロップ３１０の出力３１２は、１つの出力レベル（例えば、ハイあるいはローのいずれか）に留まるだろう。もし同期信号２０４或いは２０６がＰＡＬ同期信号２０６ならば、内部基準信号２０２は、Ｖｐｅａｋ２０８に（信号２０６がスイッチ３０８を導通させる前に）届かず、フリップフロップ３１０の出力３１２は状態を変えるだろう（例えば、ローからハイへ）。このように、本実施形態では、もしフリップフロップ３１０の出力３１２が１つのレベルに留まるならば、同期信号２０４あるいは２０６は、ＮＴＳＣ信号であり、もしフリップフロップ３１０の出力３１２が状態を変えるならば、同期信号２０４或いは２０６は、ＰＡＬ信号である。
【００１８】
前述したように、同期信号検出回路１１０を含んだ点灯回路１０８は、１つの集積回路として具現化される。そのような一実施形態において、コンデンサ３０４の大きさは、例えばシリコン上での容量の実現に関連した大きさ及び／または温度効果によって制限されるだろう。典型的には、もしコンデンサ３０４がシリコンで作られると、容量値は、数十ピコファラッド（ｐＦ）のオーダーであろう。電流源３１２は、マイクロアンペアの範囲内（１０−６）であろう。この範囲内の電流源と容量によって、Ｖｐｅａｋは数千ボルトとなるだろう。電流源３０２をコンデンサ３０４と合わせるために、電流源は、ナノアンペアの範囲（１０−９）内まで縮小されるだろう。
【００１９】
従って、図４は、一実施形態による電流増減回路４００の例を示している。増減回路４００には、コンデンサ（Ｃ１）４０４を充電することのできる第１電流源４０２ａが含まれるだろう。この実施形態において、電流源４０２ａは、マイクロアンペアの範囲の電流を作り出し、コンデンサ４０４はピコファラッド（例えば、１０ｐＦ）の範囲内にあるだろう。回路４００は、コンデンサ４０４の前後の電圧（Ｖｃｌ）と直流基準信号Ｖｐｅａｋ２０８と比較する第１比較器４０６を含むだろう。この実施形態は、コンデンサ４０４の前後の電圧（Ｖｃｌ）と接地電位間で結合される第１スイッチ４０８も含むだろう。比較器４０６の出力は、以下に、より詳細に説明する方法で、制御可能にコンデンサ４０４を放電するように動作することのできるスイッチ４０８の導通状態を制御することができるだろう。
【００２０】
この実施形態には、直流基準信号Ｖｐｅａｋ２０８に結合されて電圧Ｖ−を作り出す分圧回路４１０（これには、例えば、図示したように抵抗Ｒ１とＲ２が含まれよう）も含まれる。この実施形態では、Ｖｐｅａｋは、分圧回路４１０の因子によってＶ−まで下げられる。Ｖ−の値は、次の式で与えられる。
Ｖ−＝Ｖｐｅａｋ（Ｒ２／（Ｒ１＋Ｒ２））      …（式１）
【００２１】
回路４００には、コンデンサ４０４の前後の電圧（Ｖｃｌ）を分圧回路４１０の出力Ｖ−と比較する第２比較器４１２も含まれよう。回路４００には、電流源４０２ｂ（電流源４０２ｂは、電流源４０２ａと同様に、マイクロアンペアの範囲内の電流を作り出すだろう）の出力全体を制御することのできる第２スイッチ４１４も含まれよう。比較器４１２の出力は、以下に、より詳細に説明する方法で、電流源４０２ｂから縮小した電流源４１６を生成するスイッチ４１４の導通を制御することができるだろう。
【００２２】
図４Ａは、図４の回路の動作の例を示すグラフ４２０である。動作において、図４Ａを図４に続けて参照すると、（コンデンサ４０４を充電する）電流源（Ｉ）４０２ａがＶ−に達するのに要する時間は次の式で与えられるだろう。
Ｔ１＝Ｃ１（Ｖ−）／Ｉ＝（Ｃ１（Ｖｐｅａｋ）／Ｉ）＊（Ｒ２／（Ｒ１＋Ｒ２））
…（式２）
【００２３】
一旦、コンデンサ４０４の前後の電圧（Ｖｃｌ）がＶ−と等しく（或いは、それより大きく）なると、比較器４１２の出力は状態を変え、今度は、スイッチ４１４をオンする（導通する）だろう。コンデンサ４０４の前後の電圧がＶ−より小さい間は、比較器４１２の出力は変化しないままで、従って、この期間の間（すなわち、図４Ａで０とＴ１の間）は、スイッチ４１４はオフのままであろう（非導通）。
【００２４】
（コンデンサ４０４を充電する）電流源（Ｉ）４０２ａがＶｐｅａｋに達する時間は、次の式で与えられよう。
Ｔ２＝Ｃ１（Ｖｐｅａｋ）／Ｉ      …（式３）
【００２５】
一旦、コンデンサ４０４の前後の電圧（Ｖｃｌ）がＶｐｅａｋ２０８と等しく（或いは、それより大きく）なると、比較器４０６の出力は状態を変え、今度は、スイッチ４０８をオン（導通）し、これはコンデンサ４０４を放電してＶｃｌをゼロに減らすだろう。こうして、スイッチ４１４は、Ｔ１とＴ２の間で導通して、０とＴ１の間でオフするだろう。
【００２６】
この方法で、電流源４０２ｂは、スイッチ４１４を通して変調されて、これによって、図４Ｂに示すようにＴ２の繰り返し周期と（Ｔ２−Ｔ１）／Ｔ２のデューティサイクルを持った、増減された電流４１６が生成されるだろう。図４Ｂは、さらに、図４の回路の動作例を示したグラフ４４０である。（変調された）平均電流４１６は、次の式で与えられるだろう。
Ｉ＊（Ｔ２−Ｔ１）／Ｔ１＝Ｉ＊（１−（Ｔ１／Ｔ２））；
（上述した）式２と式３から置き換える：
Ｉ＊（１−（Ｃ１＊Ｖｐｅａｋ＊Ｒ２／Ｉ（Ｒ１＋Ｒ２））＊（１／（（Ｃ１＊Ｖｐｅａｋ）／Ｉ）））］；
これは、次の様に減らせる。
Ｉ（Ｒ１／（Ｒ１＋Ｒ２））
【００２７】
こうして、出力電流４１６は、因数Ｒ１／（Ｒ１＋Ｒ２）だけ減るだろう。この実施形態では、Ｒ１及び／またはＲ２は、図３を参照して上述したように、出力電流４１６がコンデンサ３０４で動作する適切な範囲内にあるように、選択されるだろう。
【００２８】
図５は、他の実施形態による電流増減回路５００の例を示している。この実施形態は、図４と図４Ａと図４Ｂを参照して上述したものと同様に動作するが、異なるのは、この実施形態は、例えばフリップフロップ回路を備える除算回路５１０を含んでいるだろう点である。除算回路５１０は、Ｍの周期で状態を変化させることで、スイッチ４１４の導通状態を制御することができるだろう。こうして、出力電流５１６は、Ｉ／Ｍで与えられるだろう。この実施形態において、Ｍは、出力電流５１６が適切な範囲内にあって図３を参照して上述したコンデンサ３０４に動作するように選択されるだろう。
【００２９】
図６は、電流源回路６００の実施形態の一例を示している。回路６００には、左半分と右半分を通るほぼ同じ電流Ｉを生成することができる、電流ミラー回路６０４が含まれる。回路６００には、スイッチ６０８の導通状態を制御することのできる比較器６０２も含まれる。スイッチ６０８は、抵抗（Ｒｅｘｔ）６０６に結合され、この抵抗を流れる電流Ｉは比較器６０２によって制御されるだろう。比較器６０２は、Ｖｐｅａｋ２０８を抵抗６０６の前後の電圧と比較し、電流ＩをＩ＝Ｖｐｅａｋ／Ｒｅｘｔに制限するように動作するだろう；ここでＩは、マイクロアンペアの範囲内にあるだろう。電流ミラー６０４左側で生成される電流Ｉは、電流ミラー６０４の右側に転じられるだろう。増減回路、例えば増減回路４００（図４）あるいは５００（図５）は、電流ミラー６０４の右側に結合されて、例えば４１６（図４）或いは５１６（図５）の、増減された電流出力を生成するだろう。
【００３０】
図７は、他の実施形態による、回路実現の一例を示している。この実施形態は、基本的に、図６に示される電流源回路６００と図４に示される電流増減回路４００を結合しており、従って図３の電流源３０２を形成するだろう。この実施形態の同期信号検出回路１１０（図３に示した）は、電流源回路３０２を除いて示されており、電流源４０２ｂは電流ミラーによって形成されるだろうし−その中で電流ミラー６０４によって作られた電流が電流増減回路４００に映されるところのミラー回路が描かれている。図３と図４と図６の回路の動作は、これらの図を参照して、ここに説明される。
【００３１】
図８は、さらに他の実施形態による同期信号検出回路８００の例を示している。この実施形態は、基本的に、図６に示された電流源回路６００と図５に示された電流増減回路５００を結合しており、従って、図３の電流源回路３０２を形成するだろう。この実施形態の同期信号検出回路１１０（図３に描かれている）は、電流源３０２を除いて示されており、電流源４０２ｂは電流ミラーによって形成されるだろうし−その中で電流ミラー６０４によって作られた電流が電流増減回路４００に映されるところのミラー回路が描かれている。図３と図５と図６の回路の動作は、これらの図を参照して、ここに説明される。
【００３２】
まとめると、このように、１つの装置の実施形態は、電力を少なくとも１つの光源に供給することのできる集積回路を提供するだろう。この実施形態の集積回路は、複数の異なる同期信号の中から、少なくとも１つの垂直同期信号の周波数を検出することもできるだろう。この実施形態の集積回路は、前記少なくとも１つの光源への電力を、少なくとも部分的に、前記少なくとも１つの垂直同期信号の検出済み周波数に基づいて制御することもできるだろう。
【００３３】
有利なことに、この実施形態の集積回路は、あらゆる放送とビデオの標準に自動的に適合することができるだろう。従って、この実施形態の集積回路は、光源に電力を供給する能率的で低価格の手段を提供するだろう。
【００３４】
さらに有利なことに、この実施形態の集積回路は、点灯装置内の減光制御ＰＷＭ信号を、垂直同期信号の周波数に同期させることもできるだろう。この実施形態の集積回路は、一体となって製造されるため、部品の制御を増やし価格を低減する。
【００３５】
ここで使用された用語と表現は、記述のための用語として使用されたのであり、限定のためでは無く、また、示し説明した特徴（或いはその一部）の等価なものを排除してその用語と表現を使用したことには意図は無く、様々な変更が特許請求の範囲内において可能であることは理解されたい。他の変更や変種や代替品も可能である。従って、特許請求の範囲は、全てのそれらの等化物を網羅することを意図している。
【図面の簡単な説明】
【００３６】
【図１】システムの一実施形態を表す図である。
【図２】一実施形態による信号の例を表すグラフである。
【図３】一実施形態による垂直同期検出回路を表す図である。
【図４】一実施形態による電流増減回路の図である。
【図４Ａ】図４の回路の動作の例を示すグラフである。
【図４Ｂ】図４の回路の動作の例を示すグラフである。
【図５】他の実施形態による電流増減回路を示す図である。
【図６】一実施形態による電流源回路を示す図である。
【図７】他の実施形態による同期信号検出回路の例を示す図である。
【図８】さらに他の実施形態による同期信号検出回路の例を示す図である。
【符号の説明】
【００３７】
１００…システム
１０２…テレビ表示装置
１０４…蛍光灯
１０６…発光ダイオード（ＬＥＤ）
１０８…点灯回路
１１０…同期信号検出回路
１１２…ＰＷＭ減光回路
１１４…直流／直流変換回路
２０４…ＮＴＳＣ垂直同期信号
２０６…ＰＡＬ垂直同期信号
２０８…Ｖｐｅａｋ
３０２…電流源Ｉ
３０４…コンデンサ
３０６…比較器
３０８，６０８…スイッチ
３１０…フリップフロップ回路
４００…増減回路
４０２ａ…第１電流源
４０４…コンデンサＣ１
４０６…第１比較器
４０８…第１スイッチ
４１０…分圧回路
４１２…第２比較器
４１４…第２スイッチ
４１６，５１６…出力電流
５１０…除算回路
６００…回路
６０２…比較器
６０４…電流ミラー回路
６０６…抵抗（Ｒｅｘｔ）
【図１】
2006216527.tif 000003
【図２】
2006216527.tif 000004
【図３】
2006216527.tif 000005
【図４】
2006216527.tif 000006
【図４Ａ】
2006216527.tif 000007
【図４Ｂ】
2006216527.tif 000008
【図５】
2006216527.tif 000009
【図６】
2006216527.tif 000010
【図７】
2006216527.tif 000011
【図８】
2006216527.tif 000012